(57)【要約】      （修正有）【課題】カスタマイズ型旅行情報提供方法を提供する。【解決手段】複数のユーザから収集した前記旅行関連情報の選好度に基づいて整列された旅行情報データを生成する段階と、前記旅行情報データから複数の目的地情報を選択する段階と、前記複数の目的地情報を地図情報上にマッピングして表示する段階と、前記複数の目的地情報間の移動経路情報を生成する段階と、前記複数の目的地情報及び前記移動経路情報に基づいて旅行情報を提供する段階及び前記旅行情報に基づいて電子ガイドブックを生成する段階とを含む。【選択図】図１
2015109060.tif 000002
【特許請求の範囲】
【請求項１】
複数のユーザから収集した前記旅行関連情報の選好度に基づいて整列された旅行情報データを生成する段階と、
前記旅行情報データから複数の目的地情報を選択する段階と、
前記複数の目的地情報を地図情報上にマッピングして表示する段階と、
前記複数の目的地情報間の移動経路情報を生成する段階と、
前記複数の目的地情報及び前記移動経路情報に基づいて旅行情報を提供する段階と、
前記旅行情報に基づいて電子ガイドブックを生成する段階と
を含むカスタマイズ型旅行情報提供方法。
【請求項２】
前記旅行情報データは、階層的構造を形成することを特徴とする請求項１に記載のカスタマイズ型旅行情報提供方法。
【請求項３】
前記表示する段階は、前記マッピングされた複数の目的地情報を特定基準に従って複数のグループにグループ化する段階を更に含むことを特徴とする請求項１に記載のカスタマイズ型旅行情報提供方法。
【請求項４】
前記特定基準は、旅行日目、訪問目的、移動手段、前記離隔距離のうちの１つ以上を含むことを特徴とする請求項３に記載のカスタマイズ型旅行情報提供方法。
【請求項５】
前記表示する段階は、前記特定基準に従って前記複数のグループを前記地図情報上に選択的に表示する段階を更に含むことを特徴とする請求項３に記載のカスタマイズ型旅行情報提供方法。
【請求項６】
前記移動経路情報を生成する段階は、前記マッピングされた目的地情報間の離隔距離を算出する段階を含むことを特徴とする請求項１に記載のカスタマイズ型旅行情報提供方法。
【請求項７】
前記移動経路情報を生成する段階は、前記離隔距離に基づいて前記マッピングされた複数の目的地間の移動予想時間情報を算出する段階を含むことを特徴とする請求項６に記載のカスタマイズ型旅行情報提供方法。
【請求項８】
前記移動経路情報は、第１移動経路情報又は第２移動経路情報を含むことを特徴とする請求項１に記載のカスタマイズ型旅行情報提供方法。
【請求項９】
前記第１移動経路情報は、クライアント装置から受信することを特徴とする請求項８に記載のカスタマイズ型旅行情報提供方法。
【請求項１０】
前記第２移動経路情報は、前記離隔距離に基づいて決定されることを特徴とする請求項８に記載のカスタマイズ型旅行情報提供方法。
【請求項１１】
前記電子ガイドブックを生成する段階は、前記電子ガイドブックを前記クライアント装置に送信する段階を含むことを特徴とする請求項１に記載のカスタマイズ型旅行情報提供方法。
【請求項１２】
前記送信する段階は、前記電子ガイドブックの内容が変更される場合、前記電子ガイドブックを前記クライアント装置に再送する段階を更に含むことを特徴とする請求項１１に記載のカスタマイズ型旅行情報提供方法。
【発明の詳細な説明】
【技術分野】
【０００１】
本発明はカスタマイズ型旅行情報提供方法に関し、より詳しくは、ユーザの要求に応じて流動的な日程管理が可能な旅行情報提供方法に関する。
【背景技術】
【０００２】
一般に、旅行とは、仕事や観光目的で他の地域や外国へ行くことをいう。従って、大半の旅行者は、現地状況についてよく知らない状態であり、これを補完するために、ガイドブックのように、該当地域の情報が盛り込まれた本や印刷物などのコンテンツ（Contents）を利用する。このような旅行ガイドブックとは、著者が旅行地について直／間接的に体験した情報を集めてまとめた冊子のことをいい、通常、収集された情報を活字化させ、関連する写真を付け加えて編集したものを出力した後、印刷し、本として綴って製作する。旅行者は、このような情報以外にも交通や宿泊に関する情報も必要とし、自分の日程に合わせて観光スケジュールを計画しなければならない。
【０００３】
このような旅行スケジューリングは、該当地域の情報を本人が自ら検索して直接予約し、経路を設定することによって完成できる。しかし、このような方法は多くの時間と努力を必要とし、より良質の情報を見逃すおそれがあるという短所がある。旅行スケジューリングの他の方法は、旅行会社を利用することである。旅行会社は旅行を主催し、サービスを行う業者であって、現地状況についてよく知らない旅行者に比べて、良質の情報を保有している。従って、旅行会社を利用する場合、更に便利に旅行日程を計画できる。旅行情報を提供するこのようなサービスは次第に発展しており、ＩＴ産業と結び付けられ、ウェブサイトなどの形態で旅行情報を提供するなどサービスの質が向上しつつある。
【０００４】
このようなインターネットの発達に伴い、近年は、多くの人が自ら訪れた旅行地や名所などを直接ブログなどのウェブページにアップロードし、それに関する詳細な情報を他人と共有している。このような場合、旅行地における注意事項や交通の便、宿泊施設の状態などが具体的に叙述されている。また、多くの人が推薦した旅行地と、まだ広く知られていないものの、推薦するに値する旅行地情報も得られるため、これに基づいて自分だけの旅行プランを立てることができる。
【発明の概要】
【発明が解決しようとする課題】
【０００５】
既存のガイドブックや旅行情報関連のウェブサイトの場合、パッケージ商品などのように旅行情報が旅行者の好みや選好度と関係なく、サービス提供事業者により計画されたリストの構成通りに提供するという問題があった。また、サービス提供事業者により構成された旅行情報の提供を受けることで、旅行者は、自分が好む情報を再び検索しなければならないという困難さ及び不便さが発生するという問題があった。
【０００６】
ガイドブックを利用する場合、一冊のガイドブック内に旅行者が所望する旅行情報が含まれていない場合、別途に他のガイドブックを再び購入しなければならないため、多くのコストがかかるだけでなく、旅行中に複数冊のガイドブックを所持しなければならないため、不便さをもたらすようになった。
【０００７】
また、ブログのような個人的なウェブサイトを通じて旅行情報を獲得する場合、有／無線ネットワークをスムーズに実行できない地域では、該当情報を閲覧できなかったり、かなりの料金を支払ってインターネットに接続して該当ウェブページを閲覧するなどのコスト面での問題が発生し得る。
【０００８】
そこで、本発明は上記事情に鑑みてなされたものであって、その目的は、収集した旅行関連情報を選好度に基づいて整列できる旅行情報提供方法を提供することにある。
【０００９】
また、本発明の他の目的は、旅行情報データから無作為に複数の目的地情報を選択し、これら間の移動経路を視覚的に表示するものの、目的地と移動経路を地図情報上に選択的に表示できる旅行情報提供方法を提供することにある。
【００１０】
更に、本発明の別の目的は、旅行情報に基づいて電子ガイドブックを生成し、これをクライアント装置に送信できる旅行情報提供方法を提供することにある。
【００１１】
本発明の技術的な課題は、上述した技術的課題に制限されず、言及していない他の技術的課題は、下記の記載から当業者に明確に理解され得るはずである。
【課題を解決するための手段】
【００１２】
前述した技術的課題を解決するための、本発明の一実施形態に係るカスタマイズ型旅行情報提供方法は、複数のユーザから収集した前記旅行関連情報の選好度に基づいて整列された旅行情報データを生成する段階と、前記旅行情報データから複数の目的地情報を選択する段階と、前記複数の目的地情報を地図情報上にマッピングして表示する段階と、前記複数の目的地情報間の移動経路情報を生成する段階と、前記複数の目的地情報及び前記移動経路情報に基づいて旅行情報を提供する段階及び前記旅行情報に基づいて電子ガイドブックを生成する段階とを含む。
【００１３】
前記旅行情報データは、階層的構造を形成できる。
【００１４】
前記表示する段階は、前記マッピングされた複数の目的地情報を特定基準に従って複数のグループにグループ化する段階を更に含むことができる。
【００１５】
前記特定基準は、旅行日目、訪問目的、移動手段、前記離隔距離のうちの１つ以上を含むことができる。
【００１６】
前記表示する段階は、前記特定基準に従って前記複数のグループを前記地図情報上に選択的に表示する段階を更に含むことができる。
【００１７】
前記移動経路情報を生成する段階は、前記マッピングされた目的地情報間の離隔距離を算出する段階を含むことができる。
【００１８】
前記移動経路情報を生成する段階は、前記離隔距離に基づいて前記マッピングされた複数の目的地情報間の移動予想時間情報を算出する段階を含むことができる。
【００１９】
前記移動経路情報は、第１移動経路情報又は第２移動経路情報を含むことができる。
【００２０】
前記第１移動経路情報は、クライアント装置から受信できる。
【００２１】
前記第２移動経路情報は、前記離隔距離に基づいて決定されることができる。
【００２２】
前記電子ガイドブックを生成する段階は、前記電子ガイドブックを前記クライアント装置に送信する段階を含むことができる。
【００２３】
前記送信する段階は、前記電子ガイドブックの内容が変更される場合、前記電子ガイドブックを前記クライアント装置に再送する段階を更に含むことができる。
【発明の効果】
【００２４】
前記のような本発明によれば、選好度による旅行情報データを基に目的地を自由に選択し、選択された目的地及び目的地間の移動経路を視覚的に表示することで、ユーザの要求に応じて流動的に旅行日程を管理でき、旅行スケジュールを容易に把握できるという効果を奏する。
【００２５】
複数の目的地情報を地図情報上に表示するものの、旅行日目、目的などのような特定基準に基づいて選択的に表示できるため、状況に応じて必要な情報を効率的に得ることができる。
【００２６】
また、電子ガイドブックを携帯電話などのようなクライアント装置に送信し、有／無線通信環境と場所にとらわれず、旅行情報の提供を受けることができる。
【図面の簡単な説明】
【００２７】
【図１】本発明の一実施形態に係るカスタマイズ型旅行情報提供方法の概略的な旅行情報提供方法を示す図である。
【図２】本発明の一実施形態に係るカスタマイズ型旅行情報提供方法で目的地間の離隔距離を算出する方法を示す図である。
【図３】本発明の一実施形態に係るカスタマイズ型旅行情報提供方法で目的地間の移動経路を決定する方法を示す図である。
【図４】本発明の一実施形態に係るカスタマイズ型旅行情報提供方法の地図情報上で選択的な目的地情報及び移動経路を表示する方法を示す図である。
【発明を実施するための形態】
【００２８】
以下、添付する図面を参照して本発明の好適な実施形態を詳細に説明する。本発明の利点及び特徴、そしてそれらを達成する方法は、添付の図面と共に詳細に後述されている実施形態を参照すれば明確になる。しかし、本発明は以下で示される実施形態に限定されるものではなく、互いに異なる多様な形態で実現され得、但し、本実施形態は本発明の掲示が完全なようにし、本発明の属する技術分野における通常の知識を有する者に発明の範疇を完全に理解させるために提供されるものであり、本発明は請求範囲の範疇により定義されるだけである。明細書全体に亘って同一の参照符号は、同一の構成要素を示す。
【００２９】
他の定義がなければ、本明細書で用いられる全ての用語（技術及び科学的な用語を含む）は、本発明の属する技術分野における通常の知識を有する者に共通して理解され得る意味として使用され得る。また、一般に用いられる予め定義されている用語は、特に明確に定義されていない限り、異常又は過度に解釈されない。
【００３０】
本明細書で用いられる用語は、実施形態を説明するためのものであって、本発明を制限しようとするものではない。本明細書において、単数型は文句で特に言及しない限り、複数型も含む。明細書で用いられる「含む（comprises）」及び／又は「含んでいる（comprising）」は、言及された構成要素以外に１つ以上の他の構成要素の存在又は追加を排除しない。
【００３１】
以下、図面を参照して本発明の実施形態に係るカスタマイズ型旅行情報提供方法について説明する。
【００３２】
図１を参照すれば、本発明の一実施形態に係るカスタマイズ型旅行情報提供方法の概略的な旅行情報提供方法が示される。図１は、本発明の一実施形態に係るカスタマイズ型旅行情報提供方法の概略的な旅行情報提供方法を示す図であり、図２は、本発明の一実施形態に係るカスタマイズ型旅行情報提供方法で目的地間の離隔距離を算出する方法を示す図であり、図３は、本発明の一実施形態に係るカスタマイズ型旅行情報提供方法で目的地間の移動経路を決定する方法を示す図であり、図４は、本発明の一実施形態に係るカスタマイズ型旅行情報提供方法の地図情報上で選択的な目的地情報及び移動経路を表示する方法を示す図である。
【００３３】
具体的に本実施形態に係るカスタマイズ型旅行情報提供方法は、複数のユーザから収集した前記旅行関連情報の選好度に基づいて整列された旅行情報データを生成する段階（Ｓ１０）と、前記旅行情報データから複数の目的地情報を選択する段階（Ｓ２０）と、前記複数の目的地情報を地図情報上にマッピングして表示する段階（Ｓ３０）と、前記複数の目的地情報間の移動経路情報を生成する段階（Ｓ４０）と、前記複数の目的地情報及び前記移動経路情報に基づいて旅行情報を提供する段階（Ｓ５０）及び前記旅行情報に基づいて電子ガイドブックを生成する段階（Ｓ６０）とを含む。
【００３４】
まず、旅行情報データを生成する段階（Ｓ１０）を行うことができる。このために、サーバで旅行関連情報を収集する過程を含むことができる。旅行関連情報を収集する段階では、旅行関連情報をインターネット、旅行関連の書籍、ニュース、専門家の意見、レビューなどの多様な経路を通じて収集できる。
【００３５】
特定地域を訪問しようとするとき、特に旅行目的で訪問する場合、該当目的地を初めて訪問したり、訪問した経験があってもお馴染みの文化や環境でないので、一般に、事前に該当目的地に関する情報を予め獲得して訪問する。旅行に必要な旅行関連情報としては、移動手段、予想所要時間、周辺名所、宿泊施設など多様な情報が必要であり、目的地が大衆によく知られていない場合には、旅行関連情報を獲得するのにかなりの時間がかかるおそれがある。
【００３６】
収集された旅行関連情報は、選好度に基づいて整列された旅行情報データを生成する段階（Ｓ１０）を行うことができる。
【００３７】
選好度は、複数のユーザによって決定されることができ、選好度は、複数のユーザが収集された旅行関連情報に対する推薦回数、関心リスト指定回数、クリック数、リプライ（コメント）又はレビュー数などのように集団的知性（collective intelligence）を用いて選好度に反映できるが、これに限定されるものではなく、旅行専門家の推薦旅行地、特定行事やイベント実施中の地域、割引券やクーポンが適用される旅行地などの多様な基準を通じて旅行関連情報を整列された旅行情報データとして生成できる。また、旅行情報データは、階層的構造を形成してデータ検索の効率性を向上させることができる。例えば、場所別、目的別、テーマ別などに旅行情報データを階層化できる。
【００３８】
次に、ユーザが旅行情報データから複数の目的地情報を選択する段階（Ｓ２０）を行うことができる。旅行会社で提供する一般的なパッケージ商品の場合、目的地情報や旅行スケジュールが固定的であるか、変更できる選択権が制限的である。反面、本実施形態に係るカスタマイズ型旅行情報提供方法は、選好度によって整列された旅行情報データを基にサーバがユーザに適切な目的地を推薦するものの、最終的な目的地情報はユーザが任意に選択できる。
【００３９】
選択された複数の目的地情報が地図情報上にマッピングされる段階（Ｓ３０）が実行され得る。前述したように、旅行を通じて該当目的地を訪問すれば、一般に該当目的地に関する情報は、経験や体験を通じて得られるよりは、他人の主観により提供される一方的な情報のみ得られるおそれがある。このような場合、名所、美味しいお店などのような情報は含んでいるが、目的地間の距離を考慮していないため、計画を立てる際に追加の時間を更にかけるようになる。本実施形態では、ユーザが選択した複数の目的地を地図情報上にマッピングして視覚的に表現することで、全体的な目的地を容易に把握できる。
【００４０】
地図情報上にマッピングされた複数の目的地情報間の移動経路を生成する段階（Ｓ４０）を行うことができる。複数のユーザが同一の目的地と同一の所要日程で旅行計画を立てても、個々人の体力条件や目的地間の重要度などは互いに異なり得る。
【００４１】
例えば、同じ３泊４日間の日程でフランスを旅行するとしても、ある旅行客はパリのエッフェル塔を観覧するのに多くの時間を費やすことを希望し得、他の旅行客は同じパリといっても、ルーヴル博物館で一日中過ごし得る。また、ワインに関心がある更に他の旅行客は、パリよりはボルドーの方を選好し得る。更に、旅行経験が少ない旅行客は、旅行スケジュールの推薦を受けることを選好することもあり得る。
【００４２】
このような場合、４人の旅行客は何れもフランスでの３泊４日を計画するが、目的地や目的地の重要度によって目的地間の移動経路は異なって決定されなければならない。一般に、旅行会社で提供するパッケージ商品は、最大多数を満足させるように旅行スケジュールを決めるので、前記例示のような細部のスケジューリングを満足させるのに限界があり得る。
【００４３】
本実施形態に係るカスタマイズ型旅行情報提供方法は、複数の目的地情報間の移動経路情報を自動又は手動で生成して視覚化し、旅行客の多様な要求に応じて旅行サービスを提供できる。更に、目的地情報及び移動経路情報を視覚的に表現し、特定基準に従って選択的に表示できる。
【００４４】
また、選択された目的地情報間の位置を把握して旅行者の条件に符合するように目的地を再調整したり、効果的な旅行順序を予め予想してみることができる。例えば、ユーザが選択した複数の旅行地が観光名所だけで構成されている場合、予算又は目的地間の離隔距離を考慮して宿泊施設や美味しいお店などの目的地情報を追加で推薦できる。他の例として、ユーザの好みを考慮して目的地情報を追加で推薦することもできる。ユーザにより選択された目的地情報が博物館、美術館からなる場合、目的地周辺の更に別の博物館や美術館を提案したり、それと類似する展示会場、公演場などを連係して推薦できる。従って、旅行客が該当目的地に関する情報を十分に持っていなくても、ユーザの好みや必要に応じた目的地情報を追加で推薦することで、カスタマイズ型旅行情報を提供できる。
【００４５】
前記のように推薦された目的地情報は、割引券、無料利用券などの付加的なイベント情報を共に提供して旅行客を、推薦された目的地を訪問できるように誘導する一方、目的地情報を広報する一環として広報費を受けるなどの多様な収益構造を創出できる。
【００４６】
具体的な移動経路情報の生成過程は、図２〜図３を参照し、特定基準に応じた選択的な目的地情報及び移動経路情報表示方法は、図４を参照して後述する。
【００４７】
最後に、前記Ｓ１０の段階〜Ｓ５０の段階を基に旅行情報を提供し（Ｓ５０）、旅行情報に基づいて電子ガイドブックを生成し、クライアント装置に送信する段階（Ｓ６０）を行うことができる。
【００４８】
旅行情報及びこれを含んで生成されるガイドブックには、目的地情報、目的地間の離隔距離及び推薦移動手段、目的地の訪問及び移動にかかる予想所要時間、目的地周辺の推薦旅行地、宿泊施設、割引クーポンなどの多様な旅行情報及び訪問者／旅行専門家のレビューなどが含まれ得るが、これに限定されるものではなく、旅行に必要な多様な種類の情報が含まれ得る。
【００４９】
電子ガイドブックは、クライアント装置のローカルファイルのようにオフライン上でも閲覧可能であり、有／無線通信環境が整っていなかったり、有料課金のようなコストを支払う目的地にとらわれず、旅行情報を確認できる。また、目的地情報などの旅行情報が変更される場合、電子ガイドブックを修正し、これをクライアント装置に再送できる。
【００５０】
図２〜図３を参照すれば、本発明の一実施形態に係るカスタマイズ型旅行情報提供方法で目的地間の移動経路情報を決定する方法が示される。
【００５１】
ユーザが任意に選択した第１目的地情報１０を含む複数の目的地情報が地図情報５０上にマッピングされれば、各目的地情報間の離隔距離を算出できる。離隔距離は、目的地情報間の物理的な離隔距離又は道路情報などを考慮した実際の離隔距離などを反映できるが、これに限定されるものではなく、予想所要時間などのように目的地情報間の移動に影響を及ぼし得る多様な要素を含んで離隔距離を算出できる。
【００５２】
例えば、第１目的地情報１０と第２目的地情報２０間の１-２離隔距離を算出する場合、物理的な１-２離隔距離は１０ｋｍであるが、自動車やバスなどに乗って自動車道路を利用すれば、曲線道路などにより移動距離は１２ｋｍになり得、この時は離隔距離を１２ｋｍに決定できる。このために本実施形態では、地図情報５０にインデックス部６０を含んで移動手段、予想所要時間、施設物などに対応する多様な離隔距離を算出できる。
【００５３】
最後に、離隔距離を基に目的地情報間の移動経路情報を生成できる。
【００５４】
移動経路は、クライアント装置から受信する第１移動経路又はサーバが決定する第２移動経路を含むことができる。即ち、移動経路をサーバで自動的に決定し、第２移動経路情報として生成されたり、ユーザが任意に移動経路を決定して第１移動経路情報を生成できる。前述したように、同一の旅行地を訪問しても、旅行客によって他の旅行ルートを選択できる。
【００５５】
第１移動経路は、旅行客が直接第１目的地情報１０〜第４目的地情報４０間の移動経路情報を任意に選択できる。第１移動経路をサーバに送れば、これに基づいて移動経路情報を生成できる。
【００５６】
第２移動経路情報は、目的地情報間の離隔距離又は予想所要時間の合計などを用いて生成できるが、これに限定されるものではなく、多様な方法で第２移動経路情報を生成できる。
【００５７】
例えば、複数の目的地情報間の最短距離を基に第２移動経路情報を生成できる。第１目的地情報１０と第２目的地情報２０間の１-２離隔距離と同様、各目的地情報間の離隔距離を算出して比較できる。第１目的地情報１０を出発点として選択すれば、第１目的地情報１０に連結された１-２離隔距離、１-３離隔距離、１-４離隔距離を比較できる。図２に示すように、１-２離隔距離が最短距離と判断されれば、第１目的地情報１０の次の目的地情報は、第２目的地情報２０になり得る。このような方法で第２移動経路情報を決定すれば、図３に示すような移動経路情報を生成できる。
【００５８】
図４を参照すれば、本発明の一実施形態に係るカスタマイズ型旅行情報提供方法の地図情報上で選択的な目的地情報及び移動経路を表示する方法を示す図である。
【００５９】
図２〜図３を参照して前述した例示の場合、旅行日目を反映しない移動経路情報を生成することができた。例えば、第２目的地情報２０と第３目的地情報３０が物理的に近い距離に離れていても、旅行客は、第１目的地情報１０、第２目的地情報２０、第４目的地情報４０を１日目に旅行し、第３目的地情報３０を２日目全体に亘って旅行する計画を立てることができる。本実施形態に係るカスタマイズ型旅行情報提供方法は、地図情報５０に含まれているインデックス部６０を基に旅行日目別に目的地情報をフィルタリングできる。
【００６０】
また、地図情報５０上に表示された目的地情報を呼び出せば、目的地情報に含まれている旅行情報を修正できるが、これに限定されるものではなく、目的地と関連する多様な旅行情報を修正できる。
【００６１】
例えば、第３目的地情報３０をクリックして旅行日目を修正できる。本実施形態を参照すれば、既存の第３目的地情報３０は、２日目の旅行情報に含まれており、これを変更して１日目の旅行情報に含まれるように修正できる。これにより、１日目の旅行情報は第１目的地情報〜第４目的地情報を含み、各目的地情報間の移動経路をユーザが直接設定したり、前述したように、離隔距離によって自動で移動経路を生成して修正できる。
【００６２】
一方、インデックス部６０は、目的地情報とそれによる付加的な旅行情報も地図情報５０上に選択的に表示できる。フィルタリングされた前記旅行情報は、地図情報５０上に表示されなかったり、半透明な状態で表示され得る。従って、所望の旅行情報のみ表示されるようにフィルタリングして移動経路情報を旅行日目に応じて修正できる。本実施形態において、インデックス部６０は、旅行日目によって目的地情報をフィルタリングしたが、これに限定されず、旅行目的、移動手段、離隔距離などのような多様な基準を適用して旅行客のニーズに合った旅行情報を提供できる。
【００６３】
以上、添付の図面を参照して本発明の実施形態を説明したが、本発明の属する技術分野における通常の知識を有する者は、本発明がその技術的思想や必須的な特徴を変更することなく、他の具体的な形態で実施され得ることが理解できるはずである。従って、以上で記述した実施形態はあらゆる面で例示的なものであって、限定的でないことを理解すべきである。
【符号の説明】
【００６４】
１０    第１目的地情報
２０    第２目的地情報
３０    第３目的地情報
４０    第４目的地情報
５０    地図情報
６０    インデックス部
【図１】
2015109060.tif 000003
【図２】
2015109060.tif 000004
【図３】
2015109060.tif 000005
【図４】
2015109060.tif 000006